(57)【要約】      （修正有）【課題】市販のチューブに入った二液混合型接着剤など、複数剤混合型機能剤に適用が可能で、主剤と副剤とを密閉状態で容易に混合することができ、被着物表面への塗布も容易で、必要量だけの小分けの使用が可能で、接着剤のほぼ全量を無駄なく使用することができ、使用後は容易に安全に廃棄できる、複数剤混合型機能剤の混合吐出装置を提供すること。【解決手段】開閉可能な開口部１２と、収容された機能剤１３を吐出するノズル部１４とを備えた袋体１１を用い、袋体１１の内部に例えば主剤と副剤とを適量注入し、袋体１１を押圧することで混合を行った後、混合物をノズル部１４より吐出させて被着物への塗布を行うようにする。【選択図】図１
2018058621.tif 000002
【特許請求の範囲】
【請求項１】
合成樹脂シートからなる袋体を備え、
該袋体は、開閉可能な開口部と、
前記袋体に収容された機能剤を吐出するノズル部とを備えていることを特徴とする複数剤混合型機能剤の混合吐出装置。
【請求項２】
前記開口部が、該開口部を開閉可能とする嵌合レール部を備えていることを特徴とする請求項１記載の複数剤混合型機能剤の混合吐出装置。
【請求項３】
前記開口部と前記ノズル部とが、前記袋体に一体成形により形成されていることを特徴とする請求項１又は請求項２記載の複数剤混合型機能剤の混合吐出装置。
【請求項４】
前記ノズル部の先端が、装置製造時には閉じた状態に設定されており、装置使用時の混合物吐出時に開状態に設定されるものであることを特徴とする請求項１〜３のいずれかの項に記載の複数剤混合型機能剤の混合吐出装置。
【請求項５】
前記ノズル部の蓋体をさらに備えていることを特徴とする請求項１〜４のいずれかの項に記載の複数剤混合型機能剤の混合吐出装置。
【請求項６】
前記袋体に加え、
該袋体を外側から挟み、該袋体に収容された内容物を前記ノズル部へ移動させる挟持体をさらに備えていることを特徴とする請求項１〜５のいずれかの項に記載の複数剤混合型機能剤の混合吐出装置。
【請求項７】
請求項１〜５のいずれかの項に記載の複数剤混合型機能剤の混合吐出装置を用い、
開閉可能な前記開口部から、前記複数剤混合型機能剤のそれぞれの機能剤の適量を、前記袋体内部に注入した後、前記開口部を閉じ、
前記袋体の外側から該袋体を押圧することによって、前記複数剤混合型機能剤を混合し、
その後、前記袋体を押圧して、混合された前記複数剤混合型機能剤を前記ノズル部から吐出させることを特徴とする複数剤混合型機能剤の混合吐出装置の使用方法。
【請求項８】
請求項６記載の複数剤混合型機能剤の混合吐出装置を用い、
開閉可能な前記開口部から、前記複数剤混合型機能剤のそれぞれの機能剤の適量を、前記袋体内部に注入した後、前記開口部を閉じ、
前記袋体の外側から該袋体を押圧することによって、前記複数剤混合型機能剤を混合し、
その後、前記挟持体で前記袋体を挟み、混合された前記複数剤混合型機能剤を前記ノズル部へ移動させ、
その後、前記袋体を押圧して、混合された前記複数剤混合型機能剤を前記ノズル部から吐出させることを特徴とする複数剤混合型機能剤の混合吐出装置の使用方法。
【請求項９】
請求項６記載の複数剤混合型機能剤の混合吐出装置を用い、
開閉可能な前記開口部から、前記複数剤混合型機能剤のそれぞれの機能剤の適量を、前記袋体内部に注入した後、前記開口部を閉じ、
前記袋体内の前記複数剤混合型機能剤内包部の空間容積が少なくなるように複数の前記挟持体で前記袋体を挟み込み、
前記袋体の外側から該袋体を押圧することによって、前記複数剤混合型機能剤を混合し、
その後、前記挟持体で、混合された前記複数剤混合型機能剤を前記ノズル部へ移動させた後、
前記袋体を押圧して、混合された前記複数剤混合型機能剤を前記ノズル部から吐出させることを特徴とする複数剤混合型機能剤の混合吐出装置の使用方法。
【請求項１０】
請求項１〜６のいずれかの項に記載の複数剤混合型機能剤の混合吐出装置を用い、固液混合を行うことを特徴とする複数剤混合型機能剤の混合吐出装置の使用方法。
【発明の詳細な説明】
【技術分野】
【０００１】
本発明は、複数剤混合型機能剤の混合吐出装置及びその使用方法に関する。
【背景技術】
【０００２】
一般に市販されている、チューブに入った二液混合型接着剤を使用する際には、紙やプラスチック板などの上に、主剤（接着剤）と副剤（硬化剤）とを絞り出し、同封されているヘラ等で両者を混合し、被着体の表面に塗布する方法がとられている。
この種、二液混合型接着剤は溶剤などの揮発性化学物質を含有しているために、主剤と副剤とを混合する際には独特の前記揮発性化学物質臭が周囲に漂ったり、使用者が前記化学物質を吸引する問題があった。また、ヘラ等で混合するため、接着剤が身体や衣服に付着する恐れがあった。また、ヘラ等で混合した接着剤を被着体の表面に塗布するため、混合した接着剤の全量を使い切ることは困難で、混合した接着剤の一部しか被着体の表面には塗布できず、残りは廃棄され、無駄が多くなるといった問題もあった。さらには、廃棄した接着剤から前記化学物質が揮発して周囲に漂い、人が吸引するといった問題もあった。
【０００３】
この種、二液混合型接着剤を取り扱うものとしては、例えば、下記の特許文献１記載の二液混合型接着剤吐出装置が挙げられ、この二液混合型接着剤吐出装置では、ナイロン製のフレームの先端に真鍮製のノズルを挿入し、フレームの中に、ポリプロピレン製のミキシングユニットと、真鍮製の中筒を交互に挿入し、スタティックミキサを上下のホルダブロックで挟み込む構造となっている。また、一対のホルダブロックの対向面には半円筒状の凹部が形成されており、この凹部に前記スタティックミキサを嵌め込み、ボルトによってホルダブロックを締め付けると、スタティックミキサがホルダにしっかりと挟持されるようになっている。
かかる構成により、粘度の高い接着剤(主剤及び副剤)を樹脂製のスタティックミキサに供給した時に、接着剤の圧力によってスタティックミキサが膨らんだり割れたり潰れたりしないようにすることができるとしている。
【０００４】
また、例えば、下記の特許文献２には、合成樹脂シートを重ね合わせ、矩形の一辺を残して溶着して容器本体を構成し、棒状硬質合成樹脂製の内側シール部材と、該内側シール部材に容器本体の外側から弾性的に密着嵌合させる断面Ｃ字形状の合成樹脂弾性体からなる外側シール部材４とを、容器本体の中腹部に両面から嵌合密着させて二つの収容室を構成するものが開示されている。そして一方の収容室に二液混合型接着剤の主剤（接着剤）液、他方の収容室に副剤（硬化剤）液を隔離収容し、容器本体の開口辺を溶着して袋詰めするようになっている。
かかる構成とすることにより、混合するための特別な容器を必要としない二液混合型接着剤容器を提供することができ、しかも接着剤の取扱いが容易になるとしている。
【０００５】
また、例えば、下記の特許文献３には、使用時に混合される主剤と副剤とを隔離して収納するための二液混合型接着剤容器であって、少なくとも前記主剤と前記副剤とを合わせた容量に相当する容積を有する容器本体と、該容器本体の上部内に着脱可能に成形されて前記副剤又は前記主剤の容量と略等しい容積を有する容器別体とを備え、前記容器本体及び前記容器別体は、ポリエチレン又はポリプロピレンで構成されたものが開示されている。
かかる構成によれば、主剤と副剤とを混合するに際しては、容器別体に収納されている副剤又は主剤を容器本体にあけるだけの手間ですみ、作業性に優れるとしている。
また、別途混合用容器を用意する必要がなく、省資源化に寄与するとしている。
【０００６】
［発明が解決しようとする課題］
下記の特許文献１記載のものは、主に建築現場など、大量の二液混合型接着剤が消費される場合が想定されており、細かい物品同士の接着など、少量の使用には適さず、また、装置の停止のたびに高価なスタティックミキサを廃棄・交換しなければならず、コストが高くつくといった課題があった。
【０００７】
下記の特許文献２記載のものは、一般に市販されている、チューブに入った二液混合型接着剤への適用は想定されておらず、また、合成樹脂シートを重ね合わせて３辺を溶着した容器本体に主剤と副剤とを各々分けて封入することが困難であった。また、１回の使用で容器本体内に収容されている接着剤の全量を消費してしまわなければならず、少量を小分けして使用することができず、無駄が多くなるといった課題もあった。さらには、主剤と副剤とを混合した混合物を被着体表面に塗布するのが難しいといった課題もあった。
【０００８】
下記の特許文献３記載のものは、やはり一般に市販されている、チューブに入った二液混合型接着剤への適用は想定されておらず、また、１回の使用で容器別体に収納されている副剤又は主剤の全量を容器本体にあけるので、容器内に収容されている接着剤の全量を１回で消費してしまわなければならず、少量を小分けして使用することができず、無駄が多くなるといった課題があった。さらには、主剤と副剤とを混合した混合物を被着体表面に塗布するのが難しく、また、廃棄した接着剤から溶剤などの化学物質が揮発して周囲に漂い、人が吸引してしまうといった課題もあった。
【先行技術文献】
【特許文献】
【０００９】
【特許文献１】特開平５―３１４２６号公報
【特許文献２】実用新案登録番号第３０２８６９９号公報
【特許文献３】特開平１０−１５７７７７号公報
【発明の概要】
【課題を解決するための手段及びその効果】
【００１０】
本発明は上記課題に鑑みなされたものであって、市販のチューブに入った二液混合型接着剤に適用が可能で、主剤と副剤との適量を密閉状態で容易に混合でき、被着物表面への塗布も容易で、必要量だけの小分け使用が可能で、そのため接着剤のほぼ全量を無駄なく使用することができ、使用後は廃棄した接着剤から溶剤などの揮発性化学物質が揮発して周囲に漂ったり、人が吸引するといったこともなく、また混合した全量を無駄なく使用でき、しかも容易に安全に安価に廃棄することができる、複数剤混合型機能剤の混合吐出装置及びその使用方法を提供することを目的としている。
【００１１】
上記目的を達成するために、本発明に係る複数剤混合型機能剤の混合吐出装置（１）は、
合成樹脂シートからなる袋体を備え、
該袋体が、開閉可能な開口部と、
前記袋体に収容された内容物を吐出するノズル部とを備えていることを特徴としている。
【００１２】
上記複数剤混合型機能剤の混合吐出装置（１）によれば、市販のチューブに入った二液混合型接着剤に適用が可能で、使用の際には、主剤と副剤（あるいは、１剤と２剤、主剤と副剤など）とを前記開口部から必要量のみ適量、前記袋体に注入すればよい。その後、前記開口部を閉じ、前記袋体の外側から押圧することにより、密閉状態で主剤と副剤（あるいは、１剤と２剤、主剤と副剤など）とを容易に混合することができる。
混合された機能剤を前記ノズル部から吐出させることにより、複数剤混合型機能剤を被着物の目的表面へ正確に塗布することができる。あるいは、被着物の被着面が小さかったり、被着物が針状構造などの場合は、前記袋体を前記ノズル部を上にして固定して設置することで、被着物を前記ノズル部に付着あるいは挿入することで、効率良く正確に機能剤を塗布することができる。
今回使用する必要量だけを小分けして使用することができるので、市販のチューブに入った二液混合型接着剤であってもそのほぼ全量を無駄なく使用することができる。
また、使用後は前記袋体の開口部を閉じたまま廃棄すればよいので、溶剤などの揮発性化学物質が周囲に拡散することもなく、このため人体に吸引されることもなく、容易に安全に廃棄することができる。
また、混合吐出装置は、安価な袋体代の費用が略すべてであり、小分け１回使用毎の使い捨てであっても、コストを要しない極めて安価なものとすることができる。
【００１３】
また、本発明は、上記二液混合型接着剤に限らず、二液混合型ヘアカラーなど、複数剤を混合して何らかの機能を発現させる機能剤すべてに適用可能である。
ヘアカラー・白髪染めなどの日用品、食品の主剤と副剤の混合、ラボスケールから工業分野における簡易型混合装置、特にマイクロプラントにおけるバッチ混合、実験室や化学装置、プラントにおける簡易的かつ安全な物質混合、生理活性のある医薬品の混合、微生物やウイルスを含有する複数剤の混合、ナノ素材のような液との混合が難しい固体微細物質と複数剤の混合などに適用可能である。
たとえば、ヘアカラー・白髪染めに適用した場合には、複数回に分けて、ヘラ状の櫛などに二液を混合し、髪に塗付するのが従来の方式であったものを、袋体を少し大きくすることで混合を１回で効率的に行うことが可能となり、ノズル部も少し長いものとすることにより、髪の根元まで効率的に染めることができ、かつ揮発性化学物質の臭いも抑制する効果も得ることができる。
【００１４】
また、本発明に係る複数剤混合型機能剤の混合吐出装置（２）は、上記複数剤混合型機能剤の混合吐出装置（１）において、前記開口部が、該開口部を開閉可能とする嵌合レール部を備えていることを特徴としている。
【００１５】
上記複数剤混合型機能剤の混合吐出装置（２）によれば、前記開口部における開閉を容易なものとすることができ、しかも閉時の前記袋体内の密閉状態を確実に確保することができる。このため、機能剤が身体や衣服に付着する恐れをなくし、さらには、廃棄した機能剤から溶剤などの揮発性化学物質が揮発して周囲に漂い、人が吸引するといったことを確実になくすことができる。
【００１６】
また、本発明に係る複数剤混合型機能剤の混合吐出装置（３）は、上記複数剤混合型機能剤の混合吐出装置（１）又は（２）において、前記開口部と前記ノズル部とが、前記袋体に一体成形により形成されていることを特徴としている。
【００１７】
上記複数剤混合型機能剤の混合吐出装置（３）によれば、混合吐出装置の密閉性を高めながら、混合吐出装置を安価に製造することができる。
【００１８】
また、本発明に係る複数剤混合型機能剤の混合吐出装置（４）は、上記複数剤混合型機能剤の混合吐出装置（１）〜（３）のいずれかにおいて、前記ノズル部の先端が、装置製造時には閉じた状態に設定されており、装置使用時の混合物吐出時に開状態に設定されるものであることを特徴としている。
【００１９】
上記複数剤混合型機能剤の混合吐出装置（４）によれば、前記ノズル部の先端が、装置製造時には閉じた状態に設定されているので、複数剤を押圧により混合する際には前記ノズル部の密閉状態を完璧に確保しながら十分な混合を実施することができる。混合後に前記ノズル部の先端をハサミ等で切断すれば、混合物吐出時には容易に開状態とすることができる。
さらに、前記ノズル部の密閉状態を完璧に確保しながら、前記開口部を上にして前記袋体を固定することにより、水などの低粘度液も容易に前記袋体内部に適量を注入することができる。また、ナノ物質などの固体も容易に前記袋体内部に適量を注入することができるため、固体と液体の混合にも安心して使用できることとなる。
また、前記複数剤の一部または全部が、微生物・ウイルスや生理活性物質などを含有する場合、混合吐出操作をグローブボックスなどの安全装置内で行うことができることとなる。
【００２０】
また、本発明に係る複数剤混合型機能剤の混合吐出装置（５）は、上記複数剤混合型機能剤の混合吐出装置（１）〜（４）のいずれかにおいて、前記ノズル部の蓋体をさらに備えていることを特徴としている。
【００２１】
上記複数剤混合型機能剤の混合吐出装置（５）によれば、上記複数剤混合型機能剤の混合吐出装置（１）〜（４）の上記した効果に加え、混合された複数剤混合型機能剤の使用を中断する場合には、前記ノズル部に前記蓋体を被せておくことにより、少しの時間であれば、使用中断後の、その後の使用を可能とすることができる。さらには、後述するように、複数剤の混合時に前記ノズル部に前記蓋体を被せておくことにより、密閉状態で混合を行うことが可能となる。
【００２２】
また、本発明に係る複数剤混合型機能剤の混合吐出装置（６）は、上記複数剤混合型機能剤の混合吐出装置（１）〜（５）のいずれかにおいて、前記袋体に加え、該袋体を挟み、該袋体に収容された内容物を前記ノズル部へ移動させる挟持体を備えていることを特徴としている。
【００２３】
上記複数剤混合型機能剤の混合吐出装置（６）によれば、前記挟持体により、前記袋体に収容された内容物を前記ノズル部へ無駄なく移動させることができるので、上記複数剤混合型機能剤の混合吐出装置（１）〜（５）の上記した効果に加え、複数剤混合型機能剤の全量をより一層無駄なく使い切ることができる。
【００２４】
また、本発明に係る複数剤混合型機能剤の混合吐出装置の使用方法（１）は、上記複数剤混合型機能剤の混合吐出装置（１）〜（５）のいずれかを用い、
開閉可能な前記開口部から、前記複数剤混合型機能剤のそれぞれの機能剤の適量を、前記袋体内部に注入した後、前記開口部を閉じ、
前記袋体の外側から該袋体を押圧することによって、前記複数剤混合型機能剤を混合し、
その後、前記袋体を押圧して、混合された前記複数剤混合型機能剤を前記ノズル部から吐出させ、塗布部位に塗布することを特徴としている。
【００２５】
上記複数剤混合型機能剤の混合装置の使用方法（１）によれば、市販のチューブに入った二液混合型接着剤に適用が可能で、主剤と副剤との適量を前記袋体内で容易に混合でき、前記複数剤混合型機能剤が身体や衣服に付着する恐れもなくすことができる。また、前記ノズル部からの吐出により、被着物表面への塗布も容易で、しかも必要量だけの小分け使用も可能で、前記袋体内に吐出した主剤と副剤の全量を使い切ることができる。これにより、それぞれのチューブに収容された複数剤混合型機能剤のほぼ全量を無駄なく使い切ることができる。しかも使用後は前記袋体の開口部を閉じたまま廃棄すればよいので、溶剤などの揮発性化学物質が周囲に拡散することもなく、人体への吸引を防止することができ、容易に安全に安価に廃棄することができる。
【００２６】
また、上記混合吐出装置（４）を使用する場合には、前記ノズル部は複数剤を押圧により混合する際には閉止状態にして密閉性を完璧にしておき、混合後に前記開口部をハサミ等で切断して吐出口を開口させるように使用すれば、混合性能を高めることができる。
【００２７】
さらには、前記混合吐出装置（５）を使用する場合には、複数剤を押圧により混合する際には、前記蓋体を前記ノズル部に装着しておき、複数剤を押圧により混合した後に、吐出のために前記蓋体を取り外しても良い。このようにすることで、複数剤の混合を密閉状態で行うことができ、また、混合性能を高めることができる。
さらに、前記ノズル部を上記方法で密閉状態にしておき、前記開口部を上にして前記袋体を固定することにより、水などの低粘度液も容易に前記袋体内部に適量を注入することができる。また、ナノ物質などの固体も容易に前記袋体内部に適量を注入することができるため、固体と液体の混合にも使用できる。
また、前記複数剤の一部または全部が、微生物・ウイルスや生理活性物質などを含有する場合、混合吐出操作をグローブボックスなどの安全装置内で行うことができる。
【００２８】
また、本発明に係る複数剤混合型機能剤の混合吐出装置の使用方法（２）は、上記複数剤混合型機能剤の混合吐出装置（６）を用い、
開閉可能な前記開口部から、前記複数剤混合型機能剤のそれぞれの機能剤の適量を、前記袋体内部に注入した後、前記開口部を閉じ、
前記袋体の外側から該袋体を押圧することによって、前記複数剤混合型機能剤を混合し、
その後、前記挟持体で前記袋体を挟み、混合された前記複数剤混合型機能剤を前記ノズル部へ移動させ、
その後、前記袋体を押圧して、混合された前記複数剤混合型機能剤を前記ノズル部から吐出させ、塗布部位に塗布することを特徴としている。
【００２９】
上記複数剤混合型機能剤の混合吐出装置の使用方法（２）によれば、前記挟持体により、前記袋体に収容された内容物を前記ノズル部へ無駄なく移動させることができるので、上記複数剤混合型機能剤の混合吐出装置の使用方法（１）の上記した効果に加え、複数剤混合型機能剤の全量をより一層無駄なく使い切ることができる。
さらには、前記挟持体を複数使用して、前記袋体内の複数剤混合型機能剤が含有される部位の容積を小さくすることで、押圧による混合効果を高め、また混合時の密閉性をより一層強化することができる。
【００３０】
また、本発明に係る複数剤混合型機能剤の混合吐出装置の使用方法（３）は、上記複数剤混合型機能剤の混合吐出装置（６）を用い、
開閉可能な前記開口部から、前記複数剤混合型機能剤のそれぞれの機能剤の適量を、前記袋体内部に注入した後、前記開口部を閉じ、
前記袋体内の前記複数剤混合型機能剤内包部の空間容積が少なくなるように複数の前記挟持体で前記袋体を挟み込み、
前記袋体の外側から該袋体を押圧することによって、前記複数剤混合型機能剤を混合し、
その後、前記挟持体で前記袋体を挟み、混合された前記複数剤混合型機能剤を前記ノズル部へ移動させ、
その後、前記袋体を押圧して、混合された前記複数剤混合型機能剤を前記ノズル部から吐出させることを特徴としている。
【００３１】
上記複数剤混合型機能剤の混合吐出装置の使用方法（３）によれば、挟持体を複数使用し、袋体内の複数剤混合型機能剤が含有される部位の容積を小さくすることで、押圧による混合効果を高め、また混合時の密閉性をより一層強化することができる。
【００３２】
また、本発明に係る複数剤混合型機能剤の混合吐出装置の使用方法（４）は、上記複数剤混合型機能剤の混合吐出装置（１）〜（６）のいずれかを用い、
固液混合を行うことを特徴としている。
【００３３】
上記複数剤混合型機能剤の混合吐出装置の使用方法（４）によれば、ナノ物質といった液との混合が難しい固体を容易に液体中に効率よく混合させることもできる。すなわち液体に限らず、ナノ素材のような液体との混合が難しい固体微細物質と複数剤の混合など、固液混合にも適用可能となる。
【図面の簡単な説明】
【００３４】
【図１】本発明の実施の形態に係る複数剤混合型機能剤の混合吐出装置を示す斜視図である。
【図２】本発明の別の実施の形態に係る複数剤混合型機能剤の混合吐出装置を示す斜視図である。
【図３】本発明の実施の形態に係る挟持体を示す斜視図である。
【発明を実施するための形態】
【００３５】
以下、本発明の複数剤混合型機能剤の混合吐出装置およびその使用方法に係る実施の形態を図面に基づいて説明する。
なお、本発明は、以下の各実施の形態に限定されるものではなく、各実施の形態において開示される各構成部品の形状や構造等は、望ましい一例を示すに過ぎず、その他の形状や構造等も同様の作用を有する限り、本発明の技術的範囲に属する。
図１は、本発明の実施の形態に係る複数剤混合型機能剤の混合吐出装置１０を示す斜視図であり、混合吐出装置１０は、合成樹脂シートからなる平面視長方形形状の袋体１１を備えている。この袋体１１の一辺には、開口部１２が形成されており、開口部１２は押圧・引張により嵌合・離脱が可能な嵌合レール部１２ａを備え、開閉自在に構成されている。この開口部１２が形成された辺と対向する辺の一部には、袋体１１に注入され、混合された混合型機能剤１３を吐出させるための小径の円筒形状をした合成樹脂製の柔軟性を有するノズル部１４が取り付けられている。このノズル１４の取付け箇所は袋体１１の端部である必要は無く、開口部１２が形成された辺と対向する辺の一部で、塗付作業が容易な個所であれば、どこでも良い。このノズル部１４には、混合された混合型機能剤１３の吐出を中断させたとき、あるいは密閉構造下で押圧による混合を行いたいときのための、ノズル部１４の先端に被せる有底円筒形状をした合成樹脂製の蓋体１５が用意されている。
このノズル部１４は、袋体１１と一体形成されてもよいし、又は、別体の円筒形状のものが袋体１１の所定箇所に接合されて形成されてもよい。
【００３６】
この様に構成された複数剤混合型機能剤の混合吐出装置１０を使用する際には、例えば、市販のチューブに入った二液混合型接着剤が複数剤混合型機能剤の場合、以下のように使用することとなる。
【００３７】
ノズル部１４の先端部に蓋体１５を被せておく。袋体１１の開口部１２を開き、この開口部１２から主剤と副剤のそれぞれを適量、袋体１１に注入する。開口部１２の嵌合レール部１２ａを押圧して嵌合させ、開口部１２を閉じる。その後、主剤と副剤とが混ざるように、指により、袋体１１に収容された複数剤混合型機能剤１３を押圧し、混合する。十分に混合した後、袋体１１に収容された複数剤混合型機能剤１３を指で押圧して、ノズル部１４へと導く。ノズル部１４の先端部に被せておいた蓋体１５を外し、複数剤混合型機能剤１３をノズル部１４からすぐに吐出させることができる状態にしておき、ノズル部１４を吐出面に近接させ、ノズル部１４から複数剤混合型機能剤１３が吐出されるように、指で袋体１１を挟むように押圧する。吐出面に複数剤混合型機能剤１３を吐出できたことが確認されると、押圧を止め、しばらく塗布しない場合には、ノズル部１４の先端部に蓋体１５を被せておく。
【００３８】
吐出を再開する場合には、蓋体１５をノズル部１４から外し、上記した吐出作業を繰り返す。袋体１１に注入されたすべての複数剤混合型機能剤１３を使い切り、吐出作業が終了すると、ノズル部１４の先端部に蓋体１５を被せた後、袋体１１を廃棄する。
このような作業を繰り返すことにより、チューブに入った二液混合型接着剤の全量を無駄なく使い切ることができる。
【００３９】
上記した、複数剤混合型機能剤の混合吐出装置１０及びその使用方法によれば、市販のチューブに入った二液混合型接着剤に適用が可能で、主剤と副剤との適量を袋体１１内の内部で容易に混合でき、かつ混合時には必要に応じて袋体１１内部を容易に密閉状態とすることができ、複数剤混合型機能剤１３が身体や衣服に付着する恐れもなく、ノズル部１４からの吐出により、被着物表面への塗布も容易で、しかも必要量だけの小分けの使用が可能で、袋体１１内部に注入された主剤と副剤を全量使用することができる。このため、それぞれのチューブに収容された複数剤混合型機能剤１３のほぼ全量を無駄なく使用することができる。使用後は袋体１１の開口部１２とノズル部１４を閉じたまま廃棄できるので、溶剤などの揮発性化学物質が周囲に拡散することもなく、このため揮発性化学物質を人体が吸引することも無く、容易に安全に塗付作業を行い、廃棄することができる。
【００４０】
次に、別の実施の形態に係る複数剤混合型機能剤の混合吐出装置およびその使用方法を説明する。
図２は、本発明の別の実施の形態に係る複数剤混合型機能剤の混合吐出装置１０Ａを示す斜視図であり、混合吐出装置１０Ａは、合成樹脂シートからなる平面視長方形形状の袋体１１Ａを備えている。この袋体１１Ａの一辺には、開口部１２が形成されており、開口部１２は押圧・引張により嵌合・離脱が可能な嵌合レール部１２ａを備え、開閉自在に構成されている。この開口部１２が形成された辺と対向する辺の一部には、袋体１１Ａに注入され、混合された混合型機能剤１３を吐出させるための小径の円筒形状をしたノズル部１４Ａが袋体１１Ａに一体成型により形成されている。このノズル部１４Ａの先端部は、一体成型時には閉じた状態で成形されており、混合型機能剤１３の混合吐出時に、ハサミなどでカットすれば開状態となり、混合された機能剤１３を吐出できるように構成されている。
また、混合された混合型機能剤１３の吐出を中断させたとき、あるいは密閉構造下で押圧による再度の混合を行いたいときのための、ノズル部１４Ａの先端に被せる有底円筒形状をした合成樹脂製の蓋体１５が用意されている。あるいは、後述する挟持体１６でノズル部１４Ａを挟み、挟持体１６を蓋体１５の代用としても良い。
【００４１】
この様に構成された複数剤混合型機能剤の混合吐出装置１０Ａを使用する際には、    袋体１１Ａの開口部１２を開き、この開口部１２から主剤と副剤のそれぞれを適量、袋体１１Ａに注入する。開口部１２の嵌合レール部１２ａを押圧して嵌合させ、開口部１２を閉じる。その後、主剤と副剤とが混ざるように、指により、袋体１１Ａに収容された複数剤混合型機能剤１３を押圧し、混合する。十分に混合した後、袋体１１Ａに収容された複数剤混合型機能剤１３を指で押圧して、ノズル部１４Ａへと導く。ノズル部１４Ａの先端部をハサミなどでカットし、ノズル部１４Ａの先端部を開口する。ノズル部１４Ａを吐出面に近接させ、ノズル部１４Ａから複数剤混合型機能剤１３が吐出されるように、指で袋体１１Ａを挟むように押圧する。吐出面に複数剤混合型機能剤１３を吐出できたことが確認されると、押圧を止め、しばらく吐出しない場合には、ノズル部１４Ａの先端部に蓋体１５を被せておく。あるいは、ノズル部１４Ａを挟持体１６で挟んで密閉しておいても良い。
【００４２】
吐出を再開する場合には、蓋体１５または挟持体１６をノズル部１４Ａから外し、上記した吐出作業を繰り返す。袋体１１Ａに注入されたすべての複数剤混合型機能剤１３を使い切り、吐出作業が終了すると、ノズル部１４Ａの先端部に蓋体１５を被せた後、または挟持体１６で挟んだ後、袋体１１Ａを廃棄する。
このような作業を繰り返すことにより、チューブに入った二液混合型接着剤の全量を無駄なく使い切ることができる。
使用後は袋体１１の開口部１２とノズル部１４を閉じたまま廃棄できるので、溶剤などの揮発性化学物質が周囲に拡散することもなく、このため揮発性化学物質を人が吸引することも無く、容易に安全に塗付作業を行い、廃棄することができる。
【００４３】
上記した複数剤混合型機能剤の混合吐出装置１０Ａ及びその使用方法によれば、上記した混合吐出装置１０及びその使用方法において得られる効果の他、混合吐出装置Ａの密閉性を高めながら、混合吐出装置Ａを安価に製造することができる。
【００４４】
また、ノズル部１４Ａの先端が、装置製造時には閉じた状態に設定されているので、複数剤を押圧により混合する際にはノズル部１４Ａの密閉状態を完璧に確保しながら十分な混合を実施することができる。
さらに、ノズル部１４Ａの密閉状態を完璧に確保しながら、開口部１２を上にして袋体１１Ａを固定することにより、水などの低粘度液も容易に前記袋体１１Ａ内部に適量を注入することができる。また、ナノ物質などの固体も容易に前記袋体１１Ａ内部に適量を注入することができるため、固体と液体の混合にも安心して使用できることとなる。
また、前記複数剤の一部または全部が、微生物・ウイルスや生理活性物質などを含有する場合、混合吐出操作をグローブボックスなどの安全装置内で行うことができることとなる。
【００４５】
次に、さらに別の実施の形態に係る複数剤混合型機能剤の混合吐出装置およびその使用方法を説明する。
この実施の形態では、混合吐出装置は、袋体１１の他に、挟持体１６（図３）を備えている。挟持体１６はどのような形態でも良いが、たとえば、プラスチック製の丸棒１６ａが２本と輪ゴム１６ｂとで構成され、袋体１１の幅以上の幅を有し、袋体１１を挟み込んで、袋体１１に収容された複数剤混合型機能剤１３をノズル部１４へ移動させる機能を有している。
この混合吐出装置１０を使用する際には、袋体１１の外側から袋体１１を押圧することによって、複数剤混合型機能剤１３を混合した後、挟持体１６で袋体１１を挟み、混合された複数剤混合型機能剤１３をノズル部１４へ移動させる。
その後、袋体１１を押圧して、混合された複数剤混合型機能剤１３をノズル部１４から吐出させ、塗布部位に塗布する。
【００４６】
この実施の形態によれば、挟持体１６により、袋体１１に収容され、混合された複数剤混合型機能剤１３をノズル部１４へ無駄なく移動させることができるので、上記複数剤混合型機能剤の混合吐出装置の使用方法の上記した効果に加え、袋体１１に収容された複数剤混合型機能剤１３の全量をより一層無駄なく使い切ることができる。
さらには、挟持体１６を複数使用して、袋体１１内の複数剤混合型機能剤が含有される部位の容積を小さくすることで、押圧による混合効果を高め、また混合時の密閉性をより一層強化することができる。
さらには、挟持体１６は図２に示した実施の形態におけるノズル１４閉鎖時の挟持体として使用することができる。
【００４７】
本発明は、上記した二液混合型接着剤に限らず、二液混合型ヘアカラーなど、複数剤を混合して何らかの機能を発現させる機能剤すべてに利用可能である。
さらには、上記したようにナノ物質といった液との混合が難しい固体を容易に液体中に効率よく混合させることもできる。
すなわち、本発明は、二液混合型接着剤に限らず、複数剤を混合することで機能を発揮するものすべてに適用が可能であり、具体的には、ヘアカラー・白髪染めなどの日用品、食品の主剤と副剤の混合、ラボスケールから工業分野における簡易型混合装置、特にマイクロプラントにおけるバッチ混合、実験室や化学装置、プラントにおける簡易的かつ安全な物質混合、生理活性のある医薬品の混合、微生物やウイルスを含有する複数剤の混合などに適用可能である。
さらには、液に限らず、ナノ素材のような液との混合が難しい固体微細物質と複数剤の混合など、固液混合にも適用可能である。
たとえば、ヘアカラー・白髪染めに適用した場合には、複数回に分けて、ヘラ状の櫛などに二液を混合し、髪に塗付するのが従来の方式であったものを、袋体を大きくすることで混合を１回で効率的に行うことが可能となり、ノズル部も少し長いものとすることにより、髪の根元まで効率的に染めることができる効果を得ることができる。
【実施例１】
【００４８】
以下、本発明に係る複数剤混合型機能剤の混合吐出装置の実施例を説明するが、本発明はこれにより何等これら実施例に限定されるものではない。
（袋体１１）
嵌合レール部１２a付きポリ袋（株式会社  生産日本社製、製品名：ユニパック(登録商標) S-4_3163 透明、寸法：長さ５５ｍｍ、幅（嵌合レール部）４０ｍｍ、厚さ０．０４ｍｍ）の嵌合レール部１２ａと対向する辺側に孔を空け、ビニールチューブ（デンカエレクトロン株式会社製、製品名：ビニールチューブTB-2.0N-10、材質：軟質PVC、透明、寸法：内径２．０ｍｍ、肉厚０．４ｍｍ）１０ｍｍ長をビニール用接着剤（セメダイン株式会社製、ビニール用接着剤CA-213）を用いて、前記ポリ袋との間に隙間ができないように接着し、ノズル部１４とした。ビニール用接着剤を硬化させた後、ビニールチューブを袋内３ｍｍ、袋外２ｍｍ残して切断し、袋体１１を完成した。
【００４９】
（二液混合型接着剤の混合）
袋体１１の嵌合レール部１２ａを開口し、二液混合型接着剤（ニチバン株式会社製、製品名：エポキシ系強力接着剤「Araldite(登録商標) AR-R30」）の主剤チューブと副剤チューブを袋体１１の内部に挿入し、各々適量を袋体１１内に絞り出した。
その後、嵌合レール部１２ａを押圧して閉じ、手で袋体１１を押圧して、主剤と副剤とを混合した。この際、溶剤臭が周囲に漂うことはなかった。
プラスチック製丸棒１６ａを２本、袋体１１の幅以上に切断し、袋体１１を挟み込んで、丸棒の両端を輪ゴム１６ｂで強く止めて、挟持体１６とした。
充分に混合を行った後、挟持体１６で袋体１１を挟み込み、挟持体１６を移動させることによって、袋体１１内の混合物を吐出用のノズル部１４の方へ寄せた。
【００５０】
（二液混合型接着剤の塗布−１）
袋体１１を手で押圧し、片穴用イヤリング（株式会社エンドレス製、製品名：PC-301338-R）の突起部に二液混合型接着剤を塗布した後、前記片穴用イヤリングを片穴プラスチックパール（株式会社エンドレス製、製品名：JP-00075-1、１４ｍｍ）の孔部に挿入し、６時間静置した。
静置後、イヤリングとプラスチックパールは充分な強度で接着されていることが確認された。
【００５１】
（二液混合型接着剤の塗布−２）
袋体１１を手で押圧し、ヒートンキャップ（株式会社エンドレス製、製品名：PT-300415-R、３ｍｍヒートンキャップ）の突起部に二液混合型接着剤を塗布し、片穴プラスチックパール（株式会社エンドレス製、製品名：JP-00070-1、１０ｍｍ）の孔部に挿入し、６時間静置した。
静置後、ヒートンキャップとプラスチックパールは充分な強度で接着されていることが確認された。
【実施例２】
【００５２】
挟持体１６を用いずに、手で袋体１１を押圧し、内部の混合物をノズル部１４の方へ寄せた他は、実施例１の場合と同様の手順で実施した。
イヤリングとプラスチックパール、またヒートンキャップとプラスチックパールは充分な強度で接着されていることが確認された。
【比較例１】
【００５３】
袋体１１にノズル部１４を装着せず、袋体１１内で主剤と副剤を混合した後、袋体１１の角をハサミで切断し、開口部から混合した接着剤を吐出した他は、実施例２の場合と同様に実施した。
開口部から接着剤が吐出される際に、液垂れが生じて袋体１１と、押圧している手に接着剤が付着する現象が生じた。
実施例１、２では液垂れは生じず、袋体１１と押圧している手は汚れなかった。
【産業上の利用可能性】
【００５４】
本発明は、二液混合型接着剤に限らず、二液混合型ヘアカラーなど、複数剤を混合して何らかの機能を発現させる機能剤すべてに利用可能である。さらには、固液混合にも応用が可能である。
すなわち、本発明は、二液混合型接着剤に限らず、複数剤を混合することで機能を発揮するものすべてに適用が可能であり、具体的には、ヘアカラー・白髪染めなどの日用品、食品の主剤と副剤の混合、ラボスケールから工業分野における簡易型混合装置、特にマイクロプラントにおけるバッチ混合、実験室や化学装置、プラントにおける簡易的かつ安全な物質混合、生理活性のある医薬品の混合、微生物やウイルスを含有する複数剤の混合などに適用可能である。
さらには、液に限らず、ナノ素材のような液との混合が難しい固体微細物質と複数剤の混合など、固液混合にも適用可能である。
たとえば、ヘアカラー・白髪染めに適用した場合には、複数回に分けて、ヘラ状の櫛などに二液を混合し、髪に塗付するのが従来の方式であったものを、袋体を大きくすることで混合を１回で効率的に行うことが可能となり、ノズル部も少し長いものとすることにより、髪の根元まで効率的に染めることができる効果を得ることができる。
【符号の説明】
【００５５】
１０、１０Ａ    混合吐出装置
１１、１１Ａ    袋体
１２            開口部
１２a           嵌合レール部
１３            機能剤
１４、１４Ａ    ノズル部
１５            蓋体
１６            挟持体
１６ａ          丸棒
１６ｂ          輪ゴム
【図１】
2018058621.tif 000003
【図２】
2018058621.tif 000004
【図３】
2018058621.tif 000005